(57)【要約】      （修正有）【課題】  アイロンケースを備えたアイロン装置において、アイロンケースがアイロン本体を載置したスタンドに容易に装着できるようにした、使い勝手のよいアイロン装置を得ること。【解決手段】  ヒータ５により加熱されるベース４を有するアイロン本体１と、前記アイロン本体１を載置する載置部１３を有するスタンド１２と、前記載置部１３にアイロンを載置した状態で、前記アイロン本体１を覆うアイロンケース１９を具備し、前記アイロンケース１９は側面より見た中央部がその前後端部より下方に突出したものである。【選択図】  図１
2005040319.tif 000002
【特許請求の範囲】
【請求項１】
ヒータにより加熱されるベースを有するアイロン本体と、前記アイロン本体を載置する載置部を有するスタンドと、前記載置部にアイロンを載置した状態で、前記アイロン本体を覆うアイロンケースを具備し、前記アイロンケースは側面より見た中央部がその前後端部より下方に突出したアイロン装置。
【請求項２】
ヒータにより加熱されるベースを有するアイロン本体と、前記アイロン本体を載置する載置部を有するスタンドと、前記載置部にアイロンを載置した状態で、前記アイロン本体を覆うアイロンケースを具備し、前記スタンドは側面より見た中央部がその前後端部より下方に凹んだアイロン装置。
【請求項３】
アイロンケースは、アイロンケースの最下端近傍にスタンドとの結合手段を設けた請求項１または２記載のアイロン装置。
【請求項４】
ヒータにより加熱されるベースを有するアイロン本体と、前記アイロン本体を載置する載置部を有するスタンドと、前記載置部にアイロンを載置した状態で、前記アイロン本体を覆うアイロンケースを具備し、前記アイロンケースは、前記アイロン本体をスタンドの載置部に載置した状態で、前記スタンドに取り付けた時に、前記アイロン本体の握り部に近接して配置される握り部を有するアイロン装置。
【請求項５】
アイロンケースの内面前部にアイロン本体の先端部を保持する保持部材を設けた請求項１〜４のいずれか１項記載のアイロン装置。
【請求項６】
ヒータにより加熱されるベースを有するアイロン本体と、前記アイロン本体を載置する載置部を有するスタンドとを具備し、前記スタンドの外殻は左右に分割される構成としたアイロン装置。
【請求項７】
ヒータにより加熱されるベースを有するアイロン本体と、前記アイロン本体を載置する載置部を有するスタンドとを具備し、前記スタンドの外殻の下端部全周は円弧形状に構成されたアイロン装置。
【発明の詳細な説明】
【技術分野】
【０００１】
本発明は衣類等のしわ伸ばしを行うアイロン本体と、そのアイロン本体を載置する載置部を有するスタンドとを備えたアイロン装置に関するものである。
【背景技術】
【０００２】
従来、この種のアイロン装置は、ヒーターにより加熱されるベース４０を有するアイロン本体４１と、前記アイロン本体４１を載置する載置台４２と、前記載置台４２上に載置した前記アイロン本体４１を覆うアイロンケース４３と、アイロンケース４３を前記載置台４２に着脱自在に連結する結合手段４４とを具備し、アイロン本体の最頂部にはスチームボタンなどの操作部４５が配置され、アイロンケース４３の底面４６は同一平面上にあり、アイロンケース４３の最上部には握り部４７があるのが一般的であった（例えば、特許文献１参照）。
【特許文献１】特開２００３−３８８９９号公報（第１図）
【発明の開示】
【発明が解決しようとする課題】
【０００３】
しかし、特許文献１に記載された構造のものでは、アイロン本体４１を載置台４２に載置し、アイロンケース４３をその上方よりかぶせる場合、注意を必要とした。たとえば、作業者がアイロンがけを行うときは、通常アイロン本体４１の後部側に作業者は位置し、アイロンがけを行う。アイロンがけ作業が終わったときは、電源プラグをコンセントより抜き、アイロンケース４３を載置台４２にかぶせる。
【０００４】
この時、作業者は、アイロン本体４１の後方に位置しているために、アイロンケース４３もアイロン本体４１後方より載置台４２にかぶせることとなる。アイロンケース４３の底面４６は同一平面上にあり、さらに、アイロンケース４３はアイロン本体４１を載置した載置台４２を十分に覆う寸法の一定の高さを有するので、アイロンケース４３を載置台４２にかぶせるとき、アイロン本体４１を載置台４２に載置したときの最頂部であるスチームボタンなどの操作部４６がアイロンケース４３の底面４２に当たり、非常にアイロンケース４３の装着性が悪い。
【０００５】
また、アイロンケース４３の底面４６が誤ってスチームボタンなどの操作部４６に当たった場合、最悪の場合アイロン本体４１が載置台４２から落ちてしまう可能性も有り、アイロンケース４２をかぶせるために非常に注意を必要とし、使用勝手が悪いという問題があった。
【０００６】
また、従来の構造のものでは、底面４６が同一平面上にあり、アイロンケース４３装着時に力がアイロンケース４３の底面全体にかかり、結合手段４４に特に力がかかるわけでは無いため、結合が不完全となり、結合手段４４が片方のみロックされ、不安定な状態になる場合がある。
【０００７】
また、従来の構造のものでは、アイロンケース４３内でアイロン本体４１が動くスペースがあるので、アイロンケース４３の握り部４７を持ち持ち運びをする際など、揺れによってアイロンケース４３内部でアイロン本体４１がガタガタと動いてアイロンケース４３内部を傷つけたり、アイロン本体４１及び載置台４２内部の機構や部品に影響を与え故障の原因となる場合があった。
【０００８】
また、従来の構造のものでは、載置台４２は、その上部と下部が分割した構成となり、その下部を上部より外側に張り出させることにより、その張り出し部をアイロンケース４３の底面４６との接する部分とし、さらには結合手段４４を設けていた。そのため、外側に必要以上に張り出したスペースが必要となり、コンパクト性が損なわれていたうえに、この張り出し部分に埃などがたまると手入れがし難く、清潔感を欠くものであった。
【０００９】
また、従来の構造のものでは、アイロンケース４１及び載置台４２の底面は角部にＲのついた長方形の形状をしてはいるが、アイロンケース４１の握り部４７を持って運搬中に、誤って家具や壁などに角部をぶつけたときに、角部に力が集中するので、アイロン装置や家具や壁に傷をつけることもあった。
【００１０】
そこで、本発明はアイロンケースが載置台に簡単に確実に装着できるようにした、使い勝手のよいアイロン装置を得ることを第１の目的としている。
【００１１】
第２の目的は、アイロン本体をアイロンケースおよび載置台に収納時に、アイロン本体がガタガタと動かず、安定した状態で収納できるアイロン装置を得ることである。
【００１２】
第３の目的は、外周に無駄なスペースの少ないコンパクト性に優れたアイロン装置を得ることである。
【００１３】
第４の目的は、誤って家具や壁などにぶつけてもアイロンや家具や壁が相互に傷つきにくいアイロン装置を得ることである。
【課題を解決するための手段】
【００１４】
そして、上記第１の目的を達成するために本発明は、ヒータにより加熱されるベースを有するアイロン本体と、前記アイロン本体を載置する載置部を有するスタンドと、前記載置部にアイロンを載置した状態で、前記アイロン本体を覆うアイロンケースを具備し、前記アイロンケースは側面より見た中央部がその前後端部より下方に突出したことを、第１の課題解決手段としている。
【００１５】
また、本発明は、ヒータにより加熱されるベースを有するアイロン本体と、前記アイロン本体を載置する載置部を有するスタンドと、前記載置部にアイロンを載置した状態で、前記アイロン本体を覆うアイロンケースを具備し、前記スタンドは側面より見た中央部がその前後端部より下方に凹んだことを第２の課題解決手段としている。
【００１６】
また、本発明は、第１または第２の課題解決手段において、アイロンケースは、アイロンケースの最下端近傍にスタンドとの結合手段を設けたことを第３の課題解決手段としている。
【００１７】
また、上記第２の目的を達成するために本発明は、ヒータにより加熱されるベースを有するアイロン本体と、前記アイロン本体を載置する載置部を有するスタンドと、前記載置部にアイロンを載置した状態で、前記アイロン本体を覆うアイロンケースを具備し、前記アイロンケースは、アイロン本体をスタンドの載置部に載置した状態でスタンドに取り付けた時にアイロン本体の握り部に近接して配置される握り部を有したことを第４の課題解決手段としている。
【００１８】
また、本発明は、１〜４の課題解決手段において、アイロンケース内面前部にアイロン本体の先端部を保持する保持部材を設けたことを第５の課題解決手段としている。
【００１９】
また、上記第３の目的を達成するために本発明は、ヒータにより加熱されるベースを有するアイロン本体と、前記アイロン本体を載置する載置部を有するスタンドと具備し、前記スタンドの外殻は左右に分割される構成としたことを第６の課題解決手段としている。
【００２０】
また、上記第４の目的を達成するために本発明は、ヒータにより加熱されるベースを有するアイロン本体と、前記アイロン本体を載置する載置部を有するスタンドと具備し、前記スタンドの外殻の下端部全周は円弧形状に構成されたことを第７の課題解決手段としている。
【発明の効果】
【００２１】
本発明の請求項１に記載の発明は、ヒータにより加熱されるベースを有するアイロン本体と、前記アイロン本体を載置する載置部を有するスタンドと、前記載置部にアイロンを載置した状態で、前記アイロン本体を覆うアイロンケースを具備し、前記アイロンケースは側面より見た中央部がその前後端部より下方に突出したことで、前後端部は中央部より高いのでアイロンの前後方向からアイロンケースをかぶせた場合でも、載置台に載置されたアイロンの最頂部に触れることなく容易に装着することができる。
【００２２】
請求項２に記載の発明は、ヒータにより加熱されるベースを有するアイロン本体と、前記アイロン本体を載置する載置部を有するスタンドと、前記載置部にアイロンを載置した状態で、前記アイロン本体を覆うアイロンケースを具備し、前記スタンドは側面より見た中央部がその前後端部より下方に凹ませだことで、アイロンケース装着時に、スタンドの凹んだ部分にアイロンケースを合わせることによりアイロンケースとスタンドの位置決めが容易になり、アイロンケースの装着性がよくなる。
【００２３】
請求項３に記載の発明は、上記請求項１または２記載の発明において、アイロンケースは、アイロンケースの最下端近傍にスタンドとの結合手段を設けたことで、アイロンケース装着時に結合部に力を集中しやすいため、結合を容易かつ確実に行うことができる。
【００２４】
請求項４に記載の発明は、ヒータにより加熱されるベースを有するアイロン本体と、前記アイロン本体を載置する載置部を有するスタンドと、前記載置部にアイロンを載置した状態で、前記アイロン本体を覆うアイロンケースを具備し、前記アイロンケースは、アイロン本体をスタンドの載置部に載置した状態でスタンドに取り付けた時にアイロン本体の握り部に近接して配置される握り部を有したことで、アイロンケースとアイロン本体の間隙が少なくなり、がたつきが少なくなるとともに、アイロン本体の握り部とアイロンケースの握り部を同時に持つことができ、持ち運び時の安定性が増大する。
【００２５】
請求項５に記載の発明は、上記請求項１〜４の発明において、アイロンケース内面前部にアイロン本体の先端部を保持する保持部材を設けたことで、アイロン装置持ち運び時のがたつきが無くなり安定性が増すとともに、がたついたときにアイロンの先端がアイロンケースの内側を突いて傷つけることも無くなる。
【００２６】
請求項６に記載の発明は、ヒータにより加熱されるベースを有するアイロン本体と、前記アイロン本体を載置する載置部を有するスタンドと具備し、前記スタンドの外殻は左右に分割される構成としたことで、段差や継ぎ目が少なくなり埃などがついた場合でも容易にふき取れ清潔感が高くなる。
【００２７】
請求項７に記載の発明は、ヒータにより加熱されるベースを有するアイロン本体と、前記アイロン本体を載置する載置部を有するスタンドと具備し、前記スタンドの外殻の下端部全周は円弧形状に構成されたことで、外殻に角が無いので家具や壁にぶつかった場合でもアイロン装置と家具や壁に傷がつきにくくすることができる。
【発明を実施するための最良の形態】
【００２８】
本発明の請求項１に記載の発明は、ヒータにより加熱されるベースを有するアイロン本体と、前記アイロン本体を載置する載置部を有するスタンドと、前記載置部にアイロンを載置した状態で、前記アイロン本体を覆うアイロンケースを具備し、前記アイロンケースは側面より見た中央部がその前後端部より下方に突出させたことで、アイロンケースの前後端部を中央部より高くしたので、アイロンの前後方向からアイロンケースをかぶせた場合でも、載置台に載置されたアイロンの最頂部に触れることなく容易に装着することができる。
【００２９】
請求項２に記載の発明は、ヒータにより加熱されるベースを有するアイロン本体と、前記アイロン本体を載置する載置部を有するスタンドと、前記載置部にアイロンを載置した状態で、前記アイロン本体を覆うアイロンケースを具備し、前記スタンドは側面より見た中央部がその前後端部より下方に凹んだ構成としたことで、アイロンケース装着時に、スタンドの凹んだ部分にアイロンケースを合わせることにより、アイロンケースとスタンドの位置決めが容易になり、アイロンケースの装着性がよくなる。
【００３０】
請求項３に記載の発明は、上記請求項１または２記載の発明において、アイロンケースは、アイロンケースの最下端近傍にスタンドとの結合手段を設けたことで、アイロンケース装着時に結合部に力を集中しやすいため、結合を容易かつ確実に行うことができる。
【００３１】
請求項４に記載の発明は、ヒータにより加熱されるベースを有するアイロン本体と、前記アイロン本体を載置する載置部を有するスタンドと、前記載置部にアイロンを載置した状態で、前記アイロン本体を覆うアイロンケースを具備し、前記アイロンケースは、アイロン本体をスタンドの載置部に載置した状態でスタンドに取り付けた時にアイロン本体の握り部に近接して配置される握り部を有したことで、アイロンケースとアイロン本体の間隙が少なくなり、がたつきが少なくなるとともに、アイロン本体の握り部とアイロンケースの握り部を同時に持つことにより、持ち運び時の安定性が増大する。
【００３２】
請求項５に記載の発明は、上記請求項１〜４の発明において、アイロンケースの内面前部にアイロン本体の先端部を保持する保持部材を設けたことで、アイロン装置持ち運び時のがたつきが無くなり安定性が増すとともに、がたついたときにアイロン本体の先端がアイロンケースの内側を突いて傷つけることも無くなる。
【００３３】
請求項６に記載の発明は、ヒータにより加熱されるベースを有するアイロン本体と、前記アイロン本体を載置する載置部を有するスタンドと具備し、前記スタンドの外殻は左右に分割される構成としたことで、段差や継ぎ目が少なくなり埃などがついた場合でも容易にふき取れ清潔感が高くなる。
【００３４】
請求項７に記載の発明は、ヒータにより加熱されるベースを有するアイロン本体と、前記アイロン本体を載置する載置部を有するスタンドと具備し、前記スタンドの外殻の下端部全周は円弧形状に構成されたことで、外殻に角が無いので家具や壁にぶつかった場合でもアイロン装置と家具や壁に傷がつきにくくすることができる。
【実施例１】
【００３５】
以下、本発明の一実施例を図面を用いて説明する。図１〜４において、１はアイロン本体で、蓋体２に覆われた気化室３を形成したベース４、このベース４を加熱するヒータ５、前記気化室３に導水路６（図示せず）を介して連結したタンク７、このタンク７に水を供給するための受水部８、前記ヒータ５に接続された受電端子９、前記タンク７の水位を検知する水位検知手段１０、前記アイロン本体１を作業者が持つための握り部１１を有している。前記受水部８はアイロン本体１のアイロン握り部１１の長手方向の延長線上において、前記受電端子９より上方かつ後方に設けられている。
【００３６】
１２はスタンドで、前記アイロン本体１を前記ベース４の後部を下方にして傾斜載置する載置部１３、アイロン本体１の受電端子９と各々接続される複数の給電部１４、前記アイロン本体１の受水部８と対向した位置、すなわち、前記受電端子９より上方かつ後方で、なおかつ、載置部１３の左右の中央に設けられた給水部１５、アイロン本体１のタンク７に給水部１５および受水部８を介して供給する水を貯えるための貯水タンク１６を有している。
【００３７】
さらに、上記スタンド１２には、前記貯水タンク１６に貯えられた水を給水部１５および受水部８を介してアイロン本体１のタンク７へ送るためのポンプ等で構成された給水装置１７、前記ヒータ５への通電およびこの給水装置１７の駆動を制御する複数の電子部品により構成された制御手段１８を有している。
【００３８】
また、１９は前記アイロン本体１が前記スタンド１２の載置部１３に載置された状態で、アイロン本体１上方よりスタンド１２とアイロン本体１を覆い装着され、スタンド１２と共に箱体を形成するアイロンケースである。
【００３９】
さらに、アイロンケース１９の底部２０は側面より見たアイロンケース中央部２１がその前後端部より下方に円弧状に突出している。また、スタンド１２は側面より見たスタンド中央部２２がアイロンケース１９の底部２０の形状に沿ってその前後端部より下方に凹んでいる。また、アイロンケース１９とスタンド１２を結合するための結合手段２３ａはアイロンケース１９の最下端近傍に位置している。スタンド１２にもアイロンケース１９の結合手段２３ａと結合される結合手段２３ｂを備えている。
【００４０】
さらに、アイロンケース１９のケース握り部２４は、アイロン本体１をスタンド１２の載置部１３に載置した状態でスタンド１２に取り付けた時に、アイロン本体１のアイロン握り部１１を外側から覆うように近接して配置され、アイロン本体１載置時には、アイロン本体１のアイロン握り部１１とアイロンケース１９のケース握り部２４を一緒に握ることできるよう構成している。
【００４１】
また、アイロンケース１９の内部には、アイロン本体１がスタンド１２の載置部１３に載置された状態でアイロンケース１９とスタンド１２が結合されると、アイロン本体１の先端部を保持する保持部材２５を設けている。
【００４２】
また、スタンド１２の側面は左側面２６と右側面２７とにより左右に分割される構成をとっている。また、スタンド１２の外殻の下端部全周２８は円弧形状に構成している。
【００４３】
上記構成において、次に動作、作用を説明する。まず、アイロンがけを行うときはアイロン本体１をスタンド１２の載置部１３に載置して電源を投入する。このとき、アイロン本体１に設けられている受水部８とスタンド１２に設けられている給水部１５は接続される。そして、アイロン本体１のタンク７とスタンド１２の貯水タンク１６が連通状態となる。また、アイロン本体１に設けられている受電端子９とスタンド１２に設けられている給電部１４は接続される。
【００４４】
そして制御手段１８によって給水装置１７が駆動し、貯水タンク１６の水は給水部１５および受水部８を介して、アイロン本体１のタンク７へ給水される。アイロン本体１のタンク７に所定の水量が給水されると水位検知手段１０により検知し、制御手段１８によって給水装置１７が停止する。また、制御手段１８によってベース４が予め設定された温度に通電制御され、給電部１４と受電端子９を介して電流が流され、ベース４は所望の温度になる。
【００４５】
そして、作業者はアイロン本体１をスタンド１２の載置部１３より離脱しアイロンがけを行う。アイロンがけが終了すると、作業者はアイロン本体１をスタンド１２の載置部１３に載置し、電源プラグをコンセントより抜きスタンド１２に収納する。そして、アイロンケース１９をスタンド１２に装着する。
【００４６】
このとき、図３に示すようにアイロンケース１９は、作業者の位置するアイロン本体１の後部方向よりアイロンケース１９をかぶせる。この時作業者の目線はアイロンケース１９の後方斜め上方向からであり、アイロンケースにアイロン本体が隠れてしまう、しかし、アイロンケース１９は側面より見た中央部がその前後端部２８より下方に突出させたことで、前後端部２８はアイロンケース中央部２１より高くなっているので、アイロン本体１の前後方向からアイロンケース１９をかぶせた場合でも、載置部１３に載置されたアイロン本体１の最頂部に触れることなく容易に装着することができる。
【００４７】
また、このアイロンケース１９を装着する時に、スタンド１２は側面より見たスタンド中央部２２がアイロンケース１９の底部２０の形状に沿ってその前後端部より下方に凹んでいるので、アイロンケース１９装着時に凹んだ部分にアイロンケース１９を合わせることにより、アイロンケース１９とスタンド１２の位置決めが容易になり、アイロンケース１９の装着作業がスムーズに行える。
【００４８】
また、アイロンケース１９とスタンド１２を結合するための結合手段２３はアイロンケース１９の最下端近傍に位置しているので、アイロンケース１９をスタンド１２に装着時には、アイロンケース１９の結合手段２３ａは最初にスタンド１２の結合手段２３ｂに到達するとともに、結合手段２３ａに力が集中するので確実に結合が行われ、装着性がよい。
【００４９】
また、アイロンケース１９の握り部２４は、アイロン本体１をスタンド１２の載置部１３に載置した状態でスタンド１２に取り付けた時に、アイロン本体１の握り部１１を外側から覆うようにに近接して配置され、アイロン本体１載置時にはアイロン本体１の握り部１１とアイロンケース１９の握り部２４を一緒に握ることとなる。一緒に握ることにより、アイロン装置を持ち運び時にも、アイロン本体１がアイロンケース１９内でガタガタとゆれる心配がなく、非常に持ち運びが安定した状態で行われ、ゆれ等などにより、アイロン本体１およびスタンド１２の機構や部品が壊れたりするなどの心配がなくなる。
【００５０】
また、アイロンケース１９とスタンド１２が結合されると、アイロン本体１の先端部を保持する保持部材２５を設けているので、アイロン装置持ち運び時にゆれてアイロン本体１の先端部であるベース４の先端によって傷がついたり、熱いベース４がアイロンケース１９に触れたままとなって変形することがなく、長く良好な状態で使用できる。
【００５１】
なお、この保護部材２５はベース４の熱で変形しないシリコンゴムなどで成形するのが好ましい。
【００５２】
また、図４に示すようにスタンド１２の側面は左側面２６と右側面２７とにより左右に分割される構成をとっているので、上下分割より外周の継ぎ目、段差が少なくなりほこりも溜まり難く、たとえほこりが溜まってもふき取りやすく、非常に清潔になる。
【００５３】
また、スタンド１２の外殻の下端部全周は円弧形状に構成しているので、たとえ家具や壁にぶつかった場合でも、外殻に角が無いので、衝突時の力が分散し易く、アイロン装置と家具や壁に傷がつきにくい。
【図面の簡単な説明】
【００５４】
【図１】本発明の実施例におけるアイロン装置の要部断面図
【図２】同アイロン装置の側面図
【図３】同アイロン装置のアイロンケース装着時の様子を示す説明図
【図４】同アイロン装置のスタンド側面を分解した説明図
【図５】従来のアイロン収納装置のアイロンケースを外した状態の斜視図
【符号の説明】
【００５５】
１    アイロン本体
１１  アイロン握り部
１２  スタンド
１３  載置部
１９  アイロンケース
２１  アイロンケース中央部
２２  スタンド中央部
２３  結合手段
２４  握り部
２５  保持部材
【図１】
2005040319.tif 000003
【図２】
2005040319.tif 000004
【図３】
2005040319.tif 000005
【図４】
2005040319.tif 000006
【図５】
2005040319.tif 000007